(57)【要約】【課題】ジャム処理を容易に行えるようにする。【解決手段】自動原稿給送装置３は、原稿を原稿トレイから原稿排出トレイに上流搬送経路によって搬送する間にイメージセンサに原稿の一方の面を読み取らせる。また、一方の面を読み取り終えた原稿を原稿排出トレイからイメージセンサの上流側に反転案内パスによって搬送してイメージセンサに原稿の他方の面を読み取らせる。上流搬送経路を開閉する開閉ガイド１５と、原稿トレイと一体化されて反転案内パス２８と排紙ローラ対１８とを開閉する分離原稿トレイ２５と、を備え、開閉ガイド１５と分離原稿トレイ２５との開閉方向が同一になっている。【選択図】図６
2007217178.tif 000002
【特許請求の範囲】
【請求項１】
原稿を原稿積載手段から原稿排出手段に原稿案内パスによって搬送する間に原稿読取手段に前記原稿の一方の面を読み取らせ、前記一方の面を読み取り終えた前記原稿を前記原稿排出手段から前記原稿読取手段の上流側に反転案内パスによって搬送して前記原稿読取手段に前記原稿の他方の面を読み取らせる自動原稿給送装置において、
前記原稿案内パスを開閉する第１開閉部材と、
前記原稿積載手段と一体化されて前記反転案内パスと前記原稿排出手段とを開閉する第２開閉部材と、を備え、
前記第１開閉部材と前記第２開閉部材との開閉方向が同一である、
ことを特徴とする自動原稿給送装置。
【請求項２】
前記第２開閉部材が前記第１開閉部材の下方に配設され、前記第２開閉部材が開動作によって前記第１開閉部材を押し上げて、前記第１開閉部材と同時に開動作可能である、
ことを特徴とする請求項１に記載の自動原稿給送装置。
【請求項３】
前記第１開閉部材を閉状態にロックするロック手段を備え、
前記ロック手段のロック状態が、前記第２開閉部材の開動作にともなって解除される、
ことを特徴とする請求項２に記載の自動原稿給送装置。
【請求項４】
自動原稿給送装置によって供給される原稿を読み取る原稿読取手段を備え、
前記自動原稿給送装置が請求項１乃至３のいずれか１項に記載の自動原稿給送装置である、
ことを特徴とする画像読取装置。
【請求項５】
画像読取装置によって読み取られた原稿の読取情報に基づいてシートに前記原稿の画像を形成する画像形成部を備え、
前記画像読取装置が請求項４に記載の画像読取装置である、
ことを特徴とする画像形成装置。
【発明の詳細な説明】
【技術分野】
【０００１】
本発明は、ジャム原稿を容易に除去できる自動原稿給送装置と、この自動原稿給送装置を備えた画像読取装置と、これらを装置本体に備えた画像形成装置とに関する。
【背景技術】
【０００２】
従来、シートに画像を形成する画像形成装置は、装置本体の上部に原稿を読み取る画像読取装置を備えている。この場合、画像読取装置は、上部に自動原稿給送装置を開閉自在に備えて、その自動原稿給送装置から自動的に給送されてくる原稿を読み取るようになっている場合がある（特許文献１参照）。
【０００３】
したがって、画像形成装置は、画像読取装置が自動原稿給送装置によって自動的に給送されてくる原稿を読み取った原稿読取情報に基づいて、シートに原稿を複写するようになっている。なお、画像形成装置には、プリンタ、ＦＡＸ、複写機、およびこれらの複合機等がある。
【０００４】
図１３乃至図２１に基づいて、従来の自動原稿給送装置（以下「ＡＤＦ」と言う。ＡＤＦ：Ａｕｔｏ  Ｄｏｃｕｍｅｎｔ  Ｆｅｅｄｅｒ）１０３を説明する。
【０００５】
図１３、図１４において、自動原稿給送装置１０３の原稿トレイ１０８に束状に積載された原稿束Ｄａは、下降したピックアップローラ１０９によってＡＤＦ１０３内の押圧ばね１１０に押された分離パッド１１１と分離ローラ１１２との間に送り込まれる。分離パッド１１１と分離ローラ１１２は、原稿を１枚ずつ搬送する。原稿は、上流搬送経路１２７を案内されて搬送される。上流搬送経路１２７は、ピックアップローラ１０９から流し読みガラス１０６まで形成されている。上流搬送経路１２７は、分離ガイド１１４の上面と、ガイドフレーム１２６と、これらに対向する開閉ガイド１１５の下面１１５ｂとにより形成されている。
【０００６】
その後、搬送ローラ対１１６が、原稿Ｄを画像読取装置１０２の流し読みガラス１０６の読取位置１０７ａに送り込む。原稿Ｄは、搬送ローラ対１１６，１１７に搬送されながら、不図示のイメージセンサによって画像を読み取られる。そして、原稿Ｄは、下流搬送経路１２９に案内されて、排紙ローラ対１１８によって原稿排出トレイ１１９に排出される。原稿は、図１５に示すように、ユーザが原稿トレイ１０８の先端１０８ｂを持ち上げて、原稿トレイ１０８を、回転支点１０８ａを中心に回転させて、原稿排出トレイ１１９を開放して取り出される。図１６は、原稿を取り除かれて、原稿トレイ１０８を元の位置に戻した自動原稿給送装置の外観斜視図である。
【０００７】
両面に画像を記録してある原稿を読み取るには、原稿Ｄの後端部が排紙ローラ対１１８に挟持された状態で、排紙ローラ対１１８が逆転して、原稿を搬送ローラ対１１３にスイッチバック搬送する。原稿は、スイッチバック搬送経路１２８をスイッチバック搬送される。このスイッチバック搬送経路１２８は、分離ガイド１１４の下面１１４ｃと搬送ガイド１２０の間の隙間によって形成されている。
【０００８】
その後、搬送ローラ対１１６が原稿Ｄを流し読みガラス１０６に送り込む。このとき、原稿Ｄは、スイッチバック搬送されたので、裏返しになって流し読みガラス１０６に送り込まれ、その裏面がイメージセンサによって読み取られる。最後に、原稿Ｄは、排紙ローラ対１１８によって原稿排出トレイ１１９に排出される。
【０００９】
なお、以上のように、停止しているイメージセンサの上を、原稿を通過させて原稿の画像を読み取る動作を、一般に「流し読み」と言われている。
【００１０】
ここで、図１７乃至図２１に基づいて、ＡＤＦ１０３内に詰まった原稿Ｄの除去手順を説明する。
【００１１】
流し読み中に、ＡＤＦ１０３内に詰まった原稿を一般に「ジャム原稿」、ジャム原稿をユーザによって除去する作業を「ジャム処理」と言われている。
【００１２】
開閉ガイド１１５は、図１６のロック機構１２３によってロックされている。まず、開閉ガイド１１５にあるロック機構１２３のラッチレバー１２３ａを図１６の左方向（矢印Ａ方向）に引いて、ラッチレバー１２３ａを不図示の固定ピンから外す。そして、図１７、図１８に示すように、開閉ガイド１１５を、回転支点１１５ａを中心に左方向（矢印Ｂ方向）に回転させて、上流搬送経路１２７を開く。
【００１３】
次に、開閉ガイド１１５を開くと露出した分離ガイド１１４のつまみ部１１４ｂを持って、分離ガイド１１４を、回転支点１１４ａを中心に右方向（矢印Ｃ矢印）に開く。回動支点１１４ａは、排出ローラ１１８の排紙ローラ軸１１８ｃと兼用されている。
【００１４】
最後に、開閉ガイド１１５と分離ガイド１１４とを開いたことによって、生じる開口部１２１から、ユーザが手を差し込む。そして、ユーザは、ジャム原稿Ｄの端部を掴み、図１７、図２１に示すジャム処理レバー１２２を手動回転させて、原稿Ｄを手動搬送しながら、矢印Ｅ方向に取り出す。ジャム処理レバー１２２を回転させると、減速ギア１２２ｂを介してアイドラギア１２２ａが回転して、搬送ローラ対１１６，１１７を回転させて、搬送ローラ対１１６，１１７に挟まれているジャム原稿を取り出すことができる。
【００１５】
【特許文献１】特開２００２−２２６０７１号公報
【発明の開示】
【発明が解決しようとする課題】
【００１６】
しかし、従来のＡＤＦは、開閉ガイド１１５と分離ガイド１１４とを所謂観音開きにして生じた開口部１２１からジャム原稿を取り出すようになっていたため、次の問題があった。
【００１７】
開口部１２１の間隔が狭いため、ユーザが原稿を取り出すときに手を入れにくかった。
【００１８】
開口部１２１から原稿を取り出すとき、分離ガイド１１４や開閉ガイド１１５などに原稿の端部等が引っ掛かって、原稿Ｄに傷を付けたり、原稿Ｄを切り裂いたりすることがあって、ジャム処理に注意を払う必要があり、ジャム処理が行いにくかった。
【００１９】
ジャム処理の際、ジャム処理レバー１２２と、ユーザが摘む原稿Ｄの端部とが、ユーザから見て前後方向に一直線状に並ぶため、両手を近づけて、ジャム処理レバー２２を操作しなければならない。このため、ジャム処理が行いにくかった。
【００２０】
開閉ガイド１１５と分離ガイド１１４とを開いても、排出ローラ対１１８のニップを開放することができないため、排出ローラ対１１８に挟まれたジャム原稿を抜き取るのに注意を要して、ジャム処理が行いにくかった。
【００２１】
開閉ガイド１１５を開く動作と、分離ガイド１１４を開く動作とを２回行うため、開閉ガイド１１５と分離ガイド１１４とを開く動作に手間を要していた。
【００２２】
本発明は、ジャム処理を容易に行えて、稼働率を高めた自動原稿給送装置を提供することにある。
【００２３】
本発明は、稼働率の高い自動原稿給送装置を備えた画像読取装置、及び画像形成装置を提供することにある。
【課題を解決するための手段】
【００２４】
本発明の自動原稿給送装置は、原稿を原稿積載手段から原稿排出手段に原稿案内パスによって搬送する間に原稿読取手段に前記原稿の一方の面を読み取らせ、前記一方の面を読み取り終えた前記原稿を前記原稿排出手段から前記原稿読取手段の上流側に反転案内パスによって搬送して前記原稿読取手段に前記原稿の他方の面を読み取らせるようになっており、前記原稿案内パスを開閉する第１開閉部材と、前記原稿積載手段と一体化されて前記反転案内パスと前記原稿排出手段とを開閉する第２開閉部材と、を備え、前記第１開閉部材と前記第２開閉部材との開閉方向が同一である、ことを特徴としている。
【００２５】
本発明の画像読取装置は、自動原稿給送装置によって供給される原稿を読み取る原稿読取手段を備え、前記自動原稿給送装置が上記の自動原稿給送装置である、ことを特徴としている。
【００２６】
本発明の画像形成装置は、画像読取装置によって読み取られた原稿の読取情報に基づいてシートに前記原稿の画像を形成する画像形成部を備え、前記画像読取装置が上記の画像読取装置である、ことを特徴としている。
【発明の効果】
【００２７】
本発明の自動原稿給送装置は、原稿案内パスを開閉する第１開閉部材と、原稿積載手段と一体化されて反転案内パスと原稿排出手段とを開閉する第２開閉部材との開閉方向が同一であるので、ジャム原稿を取り出す開口部を従来よりも広くすることができる。
【００２８】
このため、本発明の自動原稿給送装置は、ユーザがジャム処理を容易に行うことができる。
【００２９】
また、開口部が広いことによって、ジャム原稿に傷を付けたり、ジャム原稿を引き裂いたりすることなく、速やかに、ジャム原稿を取り出すことができる。
【００３０】
さらに、原稿排出手段も反転案内パスと同時に開放することができるので、反転案内パス内のジャム原稿のみならず、原稿排出手段に挟まれたジャム原稿の除去も容易に行うことができる。
【００３１】
また、ジャム処理を容易に行えることから、自動原稿給送装置の稼動率が高くなる。
【００３２】
本発明の画像読取装置は、稼働率の高い自動原稿給送装置を備えているので、稼働率を高くすることができる。
【００３３】
本発明の画像形成装置は、稼働率の高い画像読取装置を備えているので、稼働率を高くすることができる。
【発明を実施するための最良の形態】
【００３４】
以下、本発明の実施形態の自動原稿給送装置、画像読取装置、及び画像形成装置を図に基づいて説明する。
【００３５】
（画像形成装置）
図１において、シートに画像を形成する画像形成装置１は、装置本体１Ａの上部に原稿Ｄを読み取る画像読取装置２を備えている。画像読取装置２は、上部に自動原稿給送装置３を開閉自在に備えて、その自動原稿給送装置３から自動的に給送されてくる原稿を読み取るようになっている。
【００３６】
したがって、画像形成装置１は、画像読取装置２が自動原稿給送装置３によって自動的に給送されてくる原稿を読み取った原稿読取情報に基づいて、シートＰに原稿を複写するようになっている。なお、画像形成装置１には、プリンタ、ＦＡＸ、複写機、およびこれらの複合機等がある。
【００３７】
画像読取装置２で読み取られた原稿Ｄの画像情報は、コントローラ５を介してレーザビームスキャナ５２によって、感光体ドラム５３に静電潜像として形成される。感光体ドラム５３の表面は、静電潜像が形成される前、予め一次帯電器５４によって、一様に帯電されている。感光体ドラム５３の静電潜像は、現像器５５によって、現像剤であるトナーによって現像される。
【００３８】
一方、シート供給ローラ５６は、シート供給カセット５７の中板５８に積載してあるシートＰを、シート供給カセット５７から送り出す。搬送ローラ対５９は、シートをレジストローラ対６０に送り込む。レジストローラ対６０は、回転を停止している状態でシートを受け止めて、シートに撓み形成させて、シートの斜行を真っ直ぐに直す。
【００３９】
レジストローラ対６０は、斜行取りしたシートの先端を感光体ドラム５３のトナー像に合わせて、シートを感光体ドラム５３と転写器６１との間に送り込む。転写器６１は、トナー像をシートに転写する。その後、搬送ベルト６２は、シートを定着器６３に送り込む。定着器６３は、シートを加熱加圧して、シートにトナー像を定着して、排出トレイ６４に排出する。感光体ドラム５３に残ったトナーは、クリーナ６５によって除去される。
【００４０】
以上の構成において、感光体ドラム５３、一次帯電器５４、及び現像器５５等は、画像形成部６６を構成している。
【００４１】
（自動原稿給送装置、画像読取装置）
図２において、自動原稿給送装置（以下、「ＡＤＦ」と言う。ＡＤＦ：Ａｕｔｏ  Ｄｏｃｕｍｅｎｔ  Ｆｅｅｄｅｒ）３は、流し読みガラス６に原稿を１枚ずつ分離して給送するようになっている。画像読取装置２は、イメージセンサ７を流し読みガラス６の下に停止させて、流し読みガラス６上を通過する原稿Ｄを読み取ることができるようになっている。このような原稿の読み方を一般に「流し読み」と言われている。また、画像読取装置２は、イメージセンサ７をコンタクトガラス４の下を移動させて、コンタクトガラス４に置かれた原稿Ｄを読み取ることもできるようになっている。この読み方を一般に「固定読み」と言われている。
【００４２】
画像読取装置２が原稿を流し読みするとき、ＡＤＦ３内に詰まった原稿を一般に「ジャム原稿」と言われている。また、ジャム原稿をユーザによって除去する作業を「ジャム処理」と言われている。
【００４３】
本実施形態の自動原稿給送装置３は、ジャム処理が容易に行えるようになっている。
【００４４】
図３、図４に基づいて、ＡＤＦ３の動作を説明する。
【００４５】
ＡＤＦ３の原稿トレイ８に束状に積載された原稿束Ｄａは、下降したピックアップローラ９によってＡＤＦ３の内部に送り込まれる。
【００４６】
ピックアップローラ９からＡＤＦ３の内部に送り込まれた原稿Ｄは、押圧ばね１０に押された分離パッド１１と分離ローラ１２との間に進入させられる。原稿Ｄが１枚だけＡＤＦ３に送り込まれた場合、分離ローラ１２は、その原稿を搬送ローラ対１３に送り込む。仮に、原稿Ｄが重なって送り込まれた場合、最上位の原稿Ｄに重なっている下位の原稿Ｄが、分離パッド１１によって搬送を阻止されて、最上位の１枚の原稿のみ、分離ローラ１２によって搬送ローラ対１３に送り込まれる。
【００４７】
原稿は、原稿案内パスである例えば上流搬送経路２７を案内されて搬送される。上流搬送経路２７は、ピックアップローラ９から流し読みガラス６まで形成されている。上流搬送経路２７は、分離ガイド１４の上面、及びガイドフレーム２６と、これらに対向する第１開閉部材である例えば開閉ガイド１５の下面１５ｂとにより形成されている。なお、原稿トレイ８と分離ガイド１４は、後述するように、一体化されて、分離原稿トレイ２５を形成している。
【００４８】
その後、搬送ローラ対１６が、原稿Ｄを画像読取装置２の流し読みガラス６の読取位置７ａに送り込む。原稿Ｄは、搬送ローラ対１６，１７に搬送されながら、図２に示す原稿読取手段である例えばイメージセンサ７によって画像を読み取られる。その後、原稿Ｄは、ジャンプ台３０に掬い上げられて下流搬送経路２９に案内される。下流搬送経路２９は、ジャンプ台３０から排紙ローラ対１８までの部分である。
【００４９】
下流搬送経路２９は、途中に後述するスイッチバック搬送経路２８が接続されている。その接続部には、フラッパ３１が設けられている。原稿は、搬送ローラ対１７に搬送され、フラッパ３１の下流端を押し退けて、排紙ローラ対１８によって原稿排出トレイ１９に排出される。
【００５０】
原稿の両面に画像が記録されて、両面を読み取るには、排紙ローラ対１８が原稿Ｄの後端部を挟持した状態で逆転して、原稿を搬送ローラ対１３にスイッチバック搬送する。スイッチバック搬送経路２８は、分離原稿トレイ２５の一部である分離ガイド１４の下面１４ｃと搬送ガイド２０との間の隙間によって形成されている。原稿は、フラッパ３１に導かれて、スイッチバック搬送経路２８へスイッチバック搬送される。
【００５１】
その後、搬送ローラ対１６が原稿Ｄを流し読みガラス６に送り込む。このとき、原稿Ｄは、スイッチバック搬送されたので、裏返しになって流し読みガラス６に送り込まれ、その裏面がイメージセンサ７によって読み取られる。最後に、排紙ローラ対１８が、原稿を原稿排出トレイ１９に排出する。
【００５２】
次に、ジャム処理に関連する構成を説明する。
【００５３】
ジャム原稿の発生原因には、原稿がカールしていたり、搬送途中で折れていたりして搬送経路２７，２８，２９内に引っ掛かる場合や、ＡＤＦ３の動作中に不注意に電源を切られて、ＡＤＦ３を再起動したときの誤作動等がある。
【００５４】
開閉ガイド１５は、装置本体２Ａに設けた回転支点１５ａを中心にして、上流搬送経路２７を開閉できるようになっている。
【００５５】
開閉ガイド１５は、図９、図１０に示すロック手段である例えばロック機構２３によって閉じた状態を保持されるようになっている。ロック機構２３のラッチシャフト２３ｂは、開閉ガイド１５に回転自在に設けられている。ラッチシャフト２３ｂと、ユーザが操作するラッチレバー２３ａと、フック２３ｃと、ばね掛け部２３ｄは、一体に形成されている。ばね掛け部２３ｄと開閉ガイド１５との間には、ラッチばね２３ｅが張り渡されている。このラッチばね２３ｅは、フック２３ｃを固定ピン２４に常時係合する方向に、ばね掛け部２３ｄを牽引している。固定ピン２４は、自動原稿給送装置３の装置本体３Ａの内側に突設されている。
【００５６】
自動原稿給送装置３の作動中に、上流搬送経路２７にジャム原稿が発生して、ジャム処理をする場合、開閉ガイド１５を開いて、上流搬送経路２７を開放する必要がある。このため、ユーザは、ロック機構２３のラッチレバー２３ａを、ラッチばね２３ｅに抗して図９に示す矢印Ｅ方向に回転させる。すると、図１０に示すように、ラッチシャフト２３ｂを介してラッチレバー２３ａと一体のフック２３ｃが矢印Ｆ方向に回転して、固定ピン２４から外れる。
【００５７】
これによって、開閉ガイド１５のロック状態が解除されたことになり、図６に示すように、開閉ガイド１５を、回転支点１５ａを中心にして矢印Ｊ方向に回転させて、上流搬送経路２７を開くことができる。上流搬送経路２７が開かれると、搬送ローラ対１３のニップが開放され、また、分離ローラ１２が分離パッド１１から離れる。したがって、上流搬送経路２７に詰まっていたジャム原稿を容易に取り除くことができる。
【００５８】
上流搬送経路２７を閉じるには、開閉ガイド１５から手を離すと、開閉ガイド１５が、自重によって、図６に示す状態から右側に倒れる。そして、フック２３ｃが固定ピン２４に当接して、ラッチばね２３ｅに抗して回転し、固定ピン２４に係合する。これによって、開閉ガイド１５は、ロック状態に保持されたことになる。この結果、搬送ローラ対１３にニップが形成され、また、分離ローラ１２が分離パッド１１に当接して、各部が元の状態に戻る。
【００５９】
次に、分離ガイド１４と原稿積載手段である例えば原稿トレイ８が一体化されて形成された第２開閉部材である例えば分離原稿トレイ２５を説明する。図３乃至図６に示すように、分離原稿トレイ２５は、ＡＤＦ３の装置本体３Ａに、回転支点２５ａによって反転案内パスである例えばスイッチバック搬送経路２８と、原稿排出手段である例えば排出ローラ対１８のニップとを開閉するように設けられている。排出ローラ対１８の駆動ローラ１８ａは装置本体３Ａに支持され、従動ローラ１８ｂは分離原稿トレイ２５の裏面に回転自在に設けられている。分離原稿トレイ２５の回転支点２５ａと、開閉ガイド１５の回転支点１５ａは、上流搬送経路２７の外側に互いに接近して配設されている。
【００６０】
自動原稿給送装置３の作動中に、搬送ローラ対１６，１７、下流側搬送経路２９、排出ローラ対１８、及びスイッチバック搬送経路２８にジャム原稿が発生して、ジャム処理をする場合、図６において、まず、開閉ガイド１５を矢印Ｊ方向に回転させる。
【００６１】
その後、分離原稿トレイ２５を、回転支点２５ａを中心にして矢印Ｋ方向に回転させる。すると、排出ローラ対１８のニップが解除され、かつスイッチバック搬送経路２８が開放される。したがって、排出ローラ対１８や、スイッチバック搬送経路２８に詰まっていたジャム原稿を容易に取り除くことができる。
【００６２】
また、分離原稿トレイ２５を、矢印Ｋ方向に回転させると、ジャム処理レバー２２が露出する。ジャム処理レバー２２を手動回転させると、アイドルギア２２ａ、減速ギア２２ｂ、アイドラギア２２ｃ，２２ｄ、従動ギア２２ｅが回転する。すると、減速ギア２２ｂによって搬送ローラ対１７の一方のローラが強制的に回転させられ、従動ギア２２ｅによって搬送ローラ対１６の一方のローラが強制的に回転させられる。ところが、搬送ローラ対１６，１７と下流側搬送経路２９とに詰まったジャム原稿は、搬送ローラ対１６，１７の挟持されている。しかし、ジャム原稿は、搬送ローラ対１６，１７の回転と、ユーザの矢印Ｅ方向への引っ張りとによって、引き裂かれることなく、搬送ローラ対１６，１７と下流側搬送経路２９とから引っ張り出される。
【００６３】
なお、ジャム処理レバー２２は、減速段ギア２２ｂにより回転時の減速比を持たせて、ユーザが軽い力でジャム処理レバー２２を回転させることができるようになっている。また、ジャム処理レバー２２の外周面には凹凸が設けられており、ユーザの指が引っ掛かりやすくして、ジャム処理レバー２２を回転させやすくしてある。
【００６４】
以上のように、自動原稿給送装置３は、開閉ガイド１５の回転支点１５ａと分離原稿トレイ２５の回転支点２５ａとが、上流搬送経路２７の外側に互いに接近して配設されているので、開閉ガイドと分離原稿トレイを同一方向に開くことができるようになっている。
【００６５】
この結果、本実施形態の自動原稿給送装置３は、次の特徴を備えている。
【００６６】
開口部２１を従来よりも広く開けることができて、ユーザが原稿を取り出すときに手を入れやすくなって、ジャム処理レバー２２を回転させながらのジャム原稿の引き出し操作を容易に行うことができる。
【００６７】
開口部２１が広くなったこと、ジャム原稿の引き出し操作が容易になったことによって、ユーザが原稿Ｄに傷を付けたり、原稿Ｄを切り裂いたりすることなく、ジャム処理を行うことができる。
【００６８】
分離原稿トレイ２５を開いたとき、排紙ローラ対１８の従動ローラ１８ｂを駆動ローラ１８ａから離して、排紙ローラ対１８のニップも同時に開放することができるので、ユーザが排紙ローラ対１８に詰まったジャム原稿のジャム処理を簡単に行うことができる。
【００６９】
ユーザが、ジャム原稿に損傷を与えることなく、ジャム処理を容易に行うことができることによって、稼動効率を高めることができる。
【００７０】
従来、別体であった、分離パッド１１と原稿トレイ８とを一体化して、分離原稿トレイ２５になっているので、部品点数と、回転支持する回動支点を減らすことができて、構造を簡単にすることができる。
【００７１】
図１１は、分離原稿トレイ２５と開閉ガイド１５と一緒に回転させることができる構成を示した図である。図１１に示すように、分離原稿トレイ２５の、開閉ガイド１５の下面に対向する位置には、突起３２が上向きに突設してある。
【００７２】
突起３２を設けると、開閉ガイド１５の下方に分離原稿トレイ２５が配設してあるので、分離原稿トレイ２５を回転させたとき、突起３２が開閉ガイド１５を押し上げて、分離原稿トレイ２５と開閉ガイド１５と一緒に回転させることができる。
【００７３】
したがって、分離原稿トレイ２５を開くと開閉ガイド１５も開くことができて、従来、開閉ガイドと分離ガイドとを別々に２回に分けて開いていたのを、１回で開くことができて、ジャム処理操作を簡単にすることができる。
【００７４】
なお、分離原稿トレイ２５と開閉ガイド１５との形状如何によっては、突起３２を設けることなく、分離原稿トレイ２５を回転させたとき、開閉ガイド１５に当接するようにしてもよい。
【００７５】
図１１に示すように、突起３２によって、分離原稿トレイ２５と開閉ガイド１５とを一体に開くことができるようにしても、ロック機構２３による開閉ガイド１５のロックを解除してから開動作を行わなければならない。そこで、図１２に示すように、分離原稿トレイ２５を回転させると、開閉ガイド１５のロック解除が自動的に行え、より一層、ジャム処理操作を簡単に行えるようにしてもよい。
【００７６】
すなわち、図１２において、開閉ガイド１５に設けられたロック機構２３のフック部２３ｃにフック解除レバー２３ｆを一体に形成して、分離原稿トレイ２５の突起３２が、フック解除レバー２３ｆに当接するようにしてある。
【００７７】
この構成において、分離原稿トレイ２５を開くと、突起３２がフック解除レバー２３ｆに当接して、点線で示すようにフック部２３ｃが上方に回転し、固定ピン２４から外れる。これにより、開閉ガイド１５が回転動作可能な状態になり、ユーザは分離原稿トレイ２５を回転させるだけで、開閉ガイド１５のロック機構２３のフック部２３ｃを外しながら、開閉ガイド１５と分離原稿トレイ２５を同時に持ち上げることができる。
【００７８】
よって、より一層、ジャム処理操作を簡単に行えるようになる。
【図面の簡単な説明】
【００７９】
【図１】本発明の実施形態における自動原稿給送装置と画像読取装置を装置本体に備えた画像形成装置のシート搬送方向に沿った断面図である。
【図２】画像読取装置における読取部の詳細断面図である。
【図３】図１の自動原稿給送装置の原稿搬送方向に沿った断面図である。
【図４】自動原稿給送装置が、原稿をスイッチバック搬送している図である。
【図５】分離原稿トレイの外観斜視図である。
【図６】図３の自動原稿給送装置における開閉ガイドと、分離原稿トレイとを開いた状態の図である。
【図７】下流搬送経路に詰まったジャム原稿を除去するため、開閉ガイドと、分離原稿トレイとを開いた状態の図である。
【図８】図７において、ジャム原稿を除去した後の状態図である。
【図９】ロック機構の斜視図である。
【図１０】ロック機構の部分斜視図である。
【図１１】開閉ガイドと分離原稿トレイとを同時に開けられるようにした図である。
【図１２】図１１において、開閉ガイドと分離原稿トレイとを同時に開けられるようにした場合のロック機構の図である。
【図１３】従来の自動原稿給送装置の原稿搬送方向に沿った断面図である。
【図１４】従来の自動原稿給送装置が原稿をスイッチバック搬送している図である。
【図１５】従来の自動原稿給送装置において、原稿トレイを持ち上げて、原稿を取り除く動作説明図である。
【図１６】ロック機構の動作説明用の図である。
【図１７】従来の自動原稿給送装置において、開閉ガイドと分離ガイドとを開いた図である。
【図１８】従来の自動原稿給送装置において、開閉ガイドを開いた斜視図である。
【図１９】図１８の状態から分離ガイドを開いた斜視図である。
【図２０】図１９の状態からジャム原稿を除去した斜視図である。
【図２１】従来の自動原稿給送装置における、ジャム処理レバー周辺の斜視図である。
【符号の説明】
【００８０】
Ｐ      シート
Ｄ      原稿
１      画像形成装置
１Ａ    画像形成装置の装置本体
２      画像読取装置
３      自動原稿給送装置（ＡＤＦ）
３Ａ    装置本体
６      流し読みガラス
７      イメージセンサ（原稿読取手段）
７ａ    読取位置
８      原稿トレイ（原稿積載手段）
８ａ    回転支点
９      ピックアップローラ
１４      分離ガイド
１５      開閉ガイド（第１開閉部材）
１５ａ    回転支点
１６      搬送ローラ対
１７      搬送ローラ対
１８      排紙ローラ対（原稿排出手段）
２０      搬送ガイド
２１      開口部
２２      ジャム処理レバー
２３      ロック機構（ロック手段）
２３ａ    ラッチレバー
２３ｂ    ラッチシャフト
２３ｃ    フック
２３ｄ    ばね掛け部
２３ｅ    ラッチばね
２３ｆ    フック解除レバー
２４      固定ピン
２５      分離原稿トレイ（第２開閉部材）
２５ａ    回転支点
２７      上流搬送経路（原稿案内パス）
２８      スイッチバック搬送経路（反転案内パス）
２９      下流搬送経路
３２      突起
６６      画像形成部
【図１】
2007217178.tif 000003
【図２】
2007217178.tif 000004
【図３】
2007217178.tif 000005
【図４】
2007217178.tif 000006
【図５】
2007217178.tif 000007
【図６】
2007217178.tif 000008
【図７】
2007217178.tif 000009
【図８】
2007217178.tif 000010
【図９】
2007217178.tif 000011
【図１０】
2007217178.tif 000012
【図１１】
2007217178.tif 000013
【図１２】
2007217178.tif 000014
【図１３】
2007217178.tif 000015
【図１４】
2007217178.tif 000016
【図１５】
2007217178.tif 000017
【図１６】
2007217178.tif 000018
【図１７】
2007217178.tif 000019
【図１８】
2007217178.tif 000020
【図１９】
2007217178.tif 000021
【図２０】
2007217178.tif 000022
【図２１】
2007217178.tif 000023